(57)【要約】【課題】通信システムの通信トラフィックの集中を緩和する通信システム、通信制御装置、および通信制御方法を提供する。【解決手段】実施形態の通信システムは、無線通信を行う複数の通信端末と、各通信端末の所定期間あたりの通信量を示す第１情報を記憶するサーバと、通信端末の無線通信を制御する通信制御装置と、を備える。通信制御装置は、取得部と、制御部とを備える。取得部は、サーバから第１情報を取得する。制御部は、複数の通信端末のうち第１情報が示す通信量が第１通信量を超えている第１通信端末の無線通信を制限し、第１情報が示す通信量を、通信端末に予め設定された第１時期にリセットし、第１通信端末が複数存在する場合、当該複数の第１通信端末それぞれの第１時期を異ならせる。【選択図】図１
2016225778.tif 000002
【特許請求の範囲】
【請求項１】
無線通信を行う通信端末と、当該通信端末の所定期間あたりの通信量を示す第１情報を記憶するサーバと、通信端末の無線通信を制御する通信制御装置と、を備えた通信システムであって、
前記通信制御装置は、
前記サーバから前記第１情報を取得する取得部と、
前記第１情報が示す通信量が第１通信量を超えている第１通信端末の無線通信を制限し、前記第１情報が示す通信量を、通信端末に予め設定された第１時期にリセットし、前記第１通信端末が複数存在する場合、当該複数の第１通信端末それぞれの前記第１時期を異ならせる制御部と、
を備えた通信システム。
【請求項２】
前記制御部は、前記第１通信端末に対して前記第１時期の変更を促す第２情報を送信し、前記第１通信端末から、前記第１時期を示す第３情報を受信し、当該受信した第３情報が示す前記第１時期に、前記第１通信端末の前記第１時期を変更する請求項１に記載の通信システム。
【請求項３】
前記制御部は、前記第１通信端末の前記第１時期を、前記所定期間より短い単位時間あたりの通信端末の通信量が第２通信量を超える時期よりも前の時期に変更する請求項１に記載の通信システム。
【請求項４】
前記制御部は、通信端末が無線通信可能な複数のエリアのうち当該エリアにおける通信端末の前記所定期間あたりの通信量が第３通信量を超えている第１エリアを特定し、当該第１エリア内で無線通信を行った複数の前記第１通信端末の前記第１時期を異ならせる請求項１に記載の通信システム。
【請求項５】
サーバから、通信端末の所定期間あたりの通信量を示す第１情報を取得する取得部と、
前記第１情報が示す通信量が第１通信量を超えている第１通信端末の無線通信を制限し、前記第１情報が示す通信量を、通信端末に予め設定された第１時期にリセットし、前記第１通信端末が複数存在する場合、当該複数の第１通信端末それぞれの前記第１時期を異ならせる制御部と、
を備えた通信制御装置。
【請求項６】
前記制御部は、前記第１通信端末に対して前記第１時期の変更を促す第２情報を送信し、前記第１通信端末から、前記第１時期を示す第３情報を受信し、当該受信した第３情報が示す前記第１時期に、前記第１通信端末の前記第１時期を変更する請求項５に記載の通信制御装置。
【請求項７】
前記制御部は、前記第１通信端末の前記第１時期を、前記所定期間より短い単位時間あたりの通信端末の通信量が第２通信量を超える時期よりも前の時期に変更する請求項５に記載の通信制御装置。
【請求項８】
前記制御部は、通信端末が無線通信可能な複数のエリアのうち当該エリアにおける通信端末の前記所定期間あたりの通信量が第３通信量を超えている第１エリアを特定し、当該第１エリア内で無線通信を行った複数の前記第１通信端末の前記第１時期を異ならせる請求項５に記載の通信制御装置。
【請求項９】
サーバから、無線通信を行う通信端末の所定期間あたりの通信量を示す第１情報を取得し、
前記第１情報が示す通信量が第１通信量を超えている第１通信端末の無線通信を制限し、
前記第１情報が示す通信量を、通信端末に予め設定された第１時期にリセットし、
前記第１通信端末が複数存在する場合、当該複数の第１通信端末それぞれの前記第１時期を異ならせる、
ことを含む通信制御方法。
【請求項１０】
前記第１通信端末に対して前記第１時期の変更を促す第２情報を送信し、
前記第１通信端末から、前記第１時期を示す第３情報を受信し、
当該受信した第３情報が示す前記第１時期に、前記第１通信端末の前記第１時期を変更する請求項９に記載の通信制御方法。
【請求項１１】
前記第１通信端末の前記第１時期を、前記所定期間より短い単位時間あたりの通信端末の通信量が第２通信量を超える時期よりも前の時期に変更する請求項９に記載の通信制御方法。
【請求項１２】
通信端末が無線通信可能な複数のエリアのうち当該エリアにおける通信端末の前記所定期間あたりの通信量が第３通信量を超えている第１エリアを特定し、
当該第１エリア内で無線通信を行った複数の前記第１通信端末の前記第１時期を異ならせる請求項９に記載の通信制御方法。
【発明の詳細な説明】
【技術分野】
【０００１】
本発明の実施形態は、通信システム、通信制御装置、および通信制御方法に関する。
【背景技術】
【０００２】
移動通信事業者は、通話やデータ通信の定額プランの導入を進めており、それに伴い、ユーザの通信端末が使用するシステムリソースが年々増加し、システムリソースの不足が懸念されている。
【先行技術文献】
【特許文献】
【０００３】
【特許文献１】特開２００４−１７１５４４号公報
【特許文献２】特開２０１２−１７５３７６号公報
【特許文献３】特開２００６−２４５９３９号公報
【発明の概要】
【発明が解決しようとする課題】
【０００４】
ところで、移動通信事業者が提供している定額プランの多くは、予め設定された日を起点として通信端末の月あたりの通信量を制限している。このため、システムリソースを多く使用する通信端末は、月あたりの通信量が当該通信量のリセット時期の直後に通信量が増え、リセット時期が近くなると通信を控え、通信量が上限値に達して通信に制限がかかると通信量が少なくなる状況が考えられる。この状況をシステムリソースの観点から見た場合、全ての通信端末のリセット時期が同じであると、リセット時期の直前におけるシステムリソースの消費が少ない状況から、リセット時期の直後にシステムリソースの使用の集中が発生してしまい、システムリソースが不足することが考えられる。
【課題を解決するための手段】
【０００５】
実施形態の通信システムは、無線通信を行う複数の通信端末と、各通信端末の所定期間あたりの通信量を示す第１情報を記憶するサーバと、通信端末の無線通信を制御する通信制御装置と、を備える。通信制御装置は、取得部と、制御部とを備える。取得部は、サーバから第１情報を取得する。制御部は、複数の通信端末のうち第１情報が示す通信量が第１通信量を超えている第１通信端末の無線通信を制限し、第１情報が示す通信量を、通信端末に予め設定された第１時期にリセットし、第１通信端末が複数存在する場合、当該複数の第１通信端末それぞれの第１時期を異ならせる。
【図面の簡単な説明】
【０００６】
【図１】図１は、第１の実施形態にかかる通信システムの構成の一例を示す図である。
【図２】図２は、第１の実施形態にかかる通信システムが有する各部の機能構成の一例を示すブロック図である。
【図３】図３は、第１の実施形態にかかる通信システムにおける無線端末の通信を制限する処理の流れの一例を示すシーケンス図である。
【図４】図４は、第１の実施形態にかかる通信システムにおける複数の無線端末それぞれの通信使用量の変化の一例を示す図である。
【図５】図５は、第１の実施形態にかかる通信システムにおける無線端末の通信データ量の変化の一例を示す図である。
【図６】図６は、第１の実施形態にかかる通信システムにおける通信量制限リセット時期を変更した後の無線端末の通信データ量の変化の一例を示す図である。
【図７】図７は、第２の実施形態にかかる通信システムの構成の一例を示す図である。
【図８】図８は、第２の実施形態にかかる通信システムが有する各部の機能構成の一例を示すブロック図である。
【図９】図９は、第２の実施形態にかかる通信システムの管理サーバが記憶するエリア通信量テーブルの一例を示す図である。
【図１０】図１０は、第２の実施形態にかかる通信システムにおける各エリアにおける無線端末のエリア通信量の時間変化の一例を示す図である。
【発明を実施するための形態】
【０００７】
以下、添付の図面を用いて、本実施形態にかかる通信システム、通信制御装置、および通信制御方法について説明する。
【０００８】
（第１の実施形態）
図１は、第１の実施形態にかかる通信システムの構成の一例を示す図である。図１に示すように、本実施形態にかかる通信システムは、無線端末１０ａ，１０ｂ，１０ｃ，１０ｄ（以下、無線端末１０ａ，１０ｂ，１０ｃ，１０ｄを区別する必要が無い場合には、無線端末１０と記載する）と、基地局１１と、管理端末１２と、管理サーバ１３と、Ｗｅｂサーバ１４と、を有している。そして、基地局１１と、管理端末１２と、管理サーバ１３と、Ｗｅｂサーバ１４とは、通信ネットワークＮＷを介して接続され、互いに通信可能である。通信ネットワークＮＷは、移動体通信網（ＬＴＥ：Long  Term  Evolution、Ｗ−ＣＤＭＡ：Wideband  Code  Division  Multiple  Access、ＧＳＭ（登録商標）：Global  System  for  Mobile  communication等）、広帯域移動無線アクセスシステム（Broadband  Wireless  Access）や無線ＬＡＮ（Local  Area  Network）等である。
【０００９】
無線端末１０（通信端末の一例）は、携帯電話機やスマートフォンやタブレット端末等であり、基地局１１と無線通信可能である。そして、無線端末１０は、基地局１１および通信ネットワークＮＷを介して、他の無線端末１０、管理端末１２、管理サーバ１３、Ｗｅｂサーバ１４等の外部装置と通信可能である。基地局１１は、無線端末１０と無線通信可能である。管理端末１２は、無線端末１０と外部装置との通信を制御する。管理サーバ１２は、無線端末１０の無線通信の履歴を示す通信履歴情報を記憶する。Ｗｅｂサーバ１４は、通信ネットワークＮＷを介して接続された無線端末１０に対して、Ｗｅｂページ等の各種情報を提供する。
【００１０】
図２は、第１の実施形態にかかる通信システムが有する各部の機能構成の一例を示すブロック図である。図２に示すように、本実施形態では、無線端末１０は、基地局１１と無線通信を行う無線通信部１０１を備えている。
【００１１】
基地局１１は、図２に示すように、通信制御部１１１と、無線通信部１１２と、有線通信部１１３と、ユーザ情報管理部１１４と、を有している。通信制御部１１１は、無線通信部１１２による無線端末１０との無線通信および有線通信部１１３による通信ネットワークＮＷを介した外部装置（例えば、管理端末１２、管理サーバ１３、Ｗｅｂサーバ１４、他の基地局１１）との通信を制御する。無線通信部１１２は、無線端末１０と無線通信を行う。有線通信部１１３は、通信ネットワークＮＷを介して外部装置と有線通信を行う。ユーザ情報管理部１１４は、無線端末１０それぞれの通信履歴（例えば、無線端末１０が無線通信を行った領域である通信エリア、無線端末１０が無線通信を行った時刻である接続時刻、無線端末１０による単位時間あたりの無線通信の通信量である通信データ量）を示す通信履歴情報を取得する。そして、ユーザ情報管理部１１４は、取得した通信履歴情報を、管理端末１２および管理サーバ１３に送信する。
【００１２】
管理サーバ１３（サーバの一例）は、図２に示すように、ユーザ情報記憶部１３１、有線通信部１３２、およびユーザ情報管理部１３３を有している。ユーザ情報記憶部１３１は、ユーザ情報を記憶する。ユーザ情報には、各無線端末１０の所定期間（上述の単位時間より長い期間であり、例えば、１か月または１日）あたりの通信量である通信使用量、無線端末１０が通信を行った時間帯、無線端末１０の通信使用量をリセットする時期でありかつ当該無線端末１０に予め設定された通信量制限リセット時期（第１時期の一例）等を含む。有線通信部１３２は、基地局１１から各無線端末１０の通信履歴情報を受信する。ユーザ情報管理部１３３は、有線通信部１３２により受信した通信履歴情報に基づいて、ユーザ情報記憶部１３１に記憶されたユーザ情報を更新する。
【００１３】
管理端末１２（通信制御装置の一例）は、図２に示すように、通信制御部１２１、有線通信部１２２、ユーザ情報取得部１２３、およびユーザ情報登録部１２４を有する。通信制御部１２１（制御部の一例）は、後述するユーザ情報取得部１２３により取得されたユーザ情報が含む通信使用量が予め設定された第１制限値（第１通信量の一例）を超えている無線端末１０（第１通信端末の一例）の通信の制限（例えば、通信速度を遅くする）等、無線端末１０の無線通信を制御する。有線通信部１２２は、通信ネットワークＮＷを介して、基地局１１、管理サーバ１３、Ｗｅｂサーバ１４等の外部装置と通信を行う。ユーザ情報取得部１２３（取得部の一例）は、有線通信部１２２を介して、管理サーバ１３から、ユーザ情報（第１情報の一例）を取得する。ユーザ情報登録部１２４（制御部の一例）は、ユーザ情報取得部１２３により取得したユーザ情報を更新して、当該更新したユーザ情報を、管理サーバ１３のユーザ情報記憶部１３１に格納する。
【００１４】
ここで、図３〜６を用いて、本実施形態にかかる通信システムにおける無線端末１０の通信を制限する処理について説明する。図３は、第１の実施形態にかかる通信システムにおける無線端末の通信を制限する処理の流れの一例を示すシーケンス図である。図４は、第１の実施形態にかかる通信システムにおける複数の無線端末それぞれの通信使用量の変化の一例を示す図である。図４において、縦軸は第１制限値に対する無線端末１０の通信使用量の比率である通信比率を表す、横軸は日にちを表している。図５は、第１の実施形態にかかる通信システムにおける無線端末の通信データ量の変化の一例を示す図である。図５において、縦軸は無線端末１０の通信データ量を表し、横軸は日にちを表している。図６は、第１の実施形態にかかる通信システムにおける通信量制限リセット時期を変更した後の無線端末の通信データ量の変化の一例を示す図である。図６において、縦軸は無線端末１０の通信データ量を表し、横軸は日にちを表している。
【００１５】
管理端末１２のユーザ情報取得部１２３は、管理サーバ１３から、通信システム内の複数の無線端末１０それぞれのユーザ情報を取得する（ステップＳ３０１）。管理端末１２の通信制御部１２１は、取得したユーザ情報に基づいて、複数の無線端末１０のうち通信比率が１００％を超えた無線端末１０ａ，１０ｂ（図４参照）、言い換えると、ユーザ情報が含む通信使用量が第１制限値を超えている無線端末１０ａ，１０ｂを特定する（ステップＳ３０２）。そして、通信制御部１２１は、複数の無線端末１０のうち、通信使用量が第１制限値を超えた無線端末１０ａ，１０ｂの通信速度を、通信使用量が第１制限値を超える前までの通常の通信速度より遅い所定速度に落とす等して、当該無線端末１０ａ，１０ｂの通信を制限する。
【００１６】
一般的に、通信が制限された無線端末１０ａ，１０ｂは、通信量制限リセット時期になるまで、通信データ量が減少する。そのため、図５に示すように、通信システム内の複数の無線端末１０の通信量制限リセット時期が同じである場合、通信量制限リセット時期の直後（例えば、毎月１０日）に、無線端末１０ａ，１０ｂの通信データ量が増える。これにより、通信量制限リセット時期の直後に、通信システムの通信トラフィックが集中して通信ネットワークＮＷの負荷が大きくなる。
【００１７】
そこで、通信制御部１２１は、通信使用量が第１制限値を超えた無線端末１０（例えば、図４に示す無線端末１０ａ，１０ｂ）が特定された場合、有線通信部１２２および基地局１１を介して、無線端末１０ａ，１０ｂに対して、通信量制限リセット時期の変更を促すリセット時期変更指示（第２情報の一例）を送信する（ステップＳ３０３）。
【００１８】
無線端末１０ａ，１０ｂの無線通信部１０１は、基地局１１を介して、管理端末１２から、リセット時期変更指示を受信する。そして、無線端末１０ａは、当該無線端末１０ａが有する図示しない表示部に対して、通信量制限リセット時期の変更を促すメッセージを表示する。その後、無線端末１０ａの無線通信部１０１は、無線端末１０ａのユーザが入力した通信量制限リセット時期を示すリセット時期情報（第３情報の一例）を、基地局１１を介して、管理端末１２に送信する（ステップＳ３０４）。無線端末１０ｂも、同様に、当該無線端末１０ｂが有する図示しない表示部に対してメッセージを表示する。その後、無線端末１０ｂの無線通信部１０１は、無線端末１０ｂのユーザが入力した通信量制限リセット時期を示すリセット時期情報を、基地局１１を介して、管理端末１２に送信する。
【００１９】
管理端末１２の通信制御部１２１は、基地局１１および有線通信部１２２を介して、無線端末１０ａからリセット時期情報を受信する。その後、ユーザ情報登録部１２４は、受信したリセット時期情報等に基づいて、管理サーバ１１から取得した各無線端末１０のユーザ情報を更新し（ステップＳ３０５）、更新後のユーザ情報を管理サーバ１１に送信する（ステップＳ３０６）。
【００２０】
具体的には、ユーザ情報登録部１２４は、管理サーバ１１から取得した各無線端末１０のユーザ情報が含む通信量制限リセット時期が、現在よりも前若しくは現在である場合、当該ユーザ情報が含む通信使用量をリセットする。すなわち、ユーザ情報登録部１２４は、通信量制限リセット時期に、ユーザ情報が含む通信使用量をリセットする。さらに、ユーザ情報登録部１２４は、通信使用量が第１制限値を超えた無線端末１０のユーザ情報が含む通信量制限リセット時期を、当該無線端末１０から受信したリセット時期情報が示す通信量制限リセット時期に変更する。これにより、無線端末１０のユーザが入力した通信量制限リセット時期に無線端末１０の通信使用量がリセットされるので、当該ユーザが通信を最も使用したいタイミングで通信を使用し易くなる。
【００２１】
本実施形態では、ユーザ情報登録部１２４は、通信使用量が第１制限値を超えた無線端末１０から受信したリセット時期情報に従って、当該無線端末１０の通信量制限リセット時期を変更しているが、通信使用量が第１制限値を超えた無線端末１０が複数存在する場合、当該複数の無線端末１０の通信量制限リセット時期を異ならせるようにしても良い。
【００２２】
例えば、ユーザ情報登録部１２４は、図６に示すように、通信使用量が第１制限値を超えた複数の無線端末１０ａ，１０ｂのうち無線端末１０ａの通信量制限リセット時期を毎月５日に変更して、当該無線端末１０ａによる通信データ量が増加する時期を毎月５〜１０日にする。また、ユーザ情報登録部１２４は、無線端末１０ｂの通信量制限リセット時期を毎月１５日に変更して、当該無線端末１０ｂによる通信データ量が増加する時期を毎月１５日以降にする。これにより、図６に示すように、通信使用量が第１制限値を超えた複数の無線端末１０ａ，１０ｂの通信データ量が増加する時期をずらすことができるので、通信システムの通信トラフィックの集中を緩和することができる。
【００２３】
また、ユーザ情報登録部１２４は、基地局１１から受信した各無線端末１０の通信履歴情報が含む通信データ量が所定値（第２通信量の一例）を超える時期よりも前の時期に、通信使用量が第１制限値を超えた無線端末１０の通信量制限リセット時期を変更する。ここで、所定値は、第１制限値より少ない予め設定された通信量である。これにより、通信使用量が多い無線端末１０の通信量制限リセット時期が他の無線端末１０の通信データ量が多い時期と重なることを防止できるので、通信システムの通信トラフィックの集中を緩和しかつ通信ネットワークＮＷの負荷が大きくなることを防止できる。
【００２４】
このように、第１の実施形態にかかる通信システムによれば、通信システムの通信トラフィックの集中を緩和することができる。
【００２５】
（第２の実施形態）
本実施形態は、無線端末が通信可能な複数のエリアのうち、当該エリアにおける無線端末の所定期間あたりの通信量（以下、エリア通信量と言う）が第２制限値を超えているエリアを特定し、特定したエリア内で無線通信を行いかつ通信使用量が第１制限値を超えた複数の無線端末の通信量制限リセット時期を異ならせる例である。以下の説明では、第１の実施形態と同様の箇所については説明を省略する。
【００２６】
図７は、第２の実施形態にかかる通信システムの構成の一例を示す図である。図７に示すように、本実施形態にかかる通信システムは、図７に示すように、無線端末１０が無線通信を行うことができる複数（Ｍ個）のエリアＡ１〜ＡＭ（以下、エリアＡ１〜ＡＭを区別する必要がない場合には、エリアＡと記載する）を有している。ここで、Ｍは、１以上の整数である。
【００２７】
図８は、第２の実施形態にかかる通信システムが有する各部の機能構成の一例を示すブロック図である。図９は、第２の実施形態にかかる通信システムの管理サーバが記憶するエリア通信量テーブルの一例を示す図である。図８に示すように、本実施形態では、基地局８０１は、通信制御部１１１、無線通信部１１２、有線通信部１１３およびユーザ情報管理部１１４に加えて、エリア情報管理部８０２を有している。エリア情報管理部８０２は、基地局８０１が属するエリアＡ（言い換えると、基地局８０１が無線端末１０と無線通信可能な範囲）における各無線端末１０のエリア通信量を記憶する。そして、エリア情報管理部８０２は、各無線端末１０のエリア通信量を示すエリア情報を、管理サーバ８０３および管理端末８０６に送信する。
【００２８】
管理サーバ８０３は、図８に示すように、ユーザ情報記憶部１３１、有線通信部１３２、およびユーザ情報管理部１３３に加えて、エリア情報記憶部８０４およびエリア情報管理部８０５を有している。エリア情報記憶部８０４は、図９に示すエリア通信量テーブルＴを記憶する。エリア通信量テーブルＴは、図９に示すように、無線端末１０毎に、無線端末１０のエリア通信量と、無線端末１０の通信使用量と、を対応付けて記憶する。エリア情報管理部８０５は、管理端末８０６により生成されたエリア通信量テーブルＴを取得し、取得したエリア通信量テーブルＴを、エリア情報記憶部８０４に格納する。
【００２９】
管理端末８０６は、通信制御部１２１、有線通信部１２２、ユーザ情報取得部１２３、およびユーザ情報登録部１２４に加えて、エリア情報取得部８０７、およびエリア情報登録部８０８を有している。エリア情報取得部８０７は、各エリアＡ１〜ＡＭの基地局８０１から、エリア情報を取得する。エリア情報登録部８０８は、取得したエリア情報が示す各無線端末１０のエリア通信量に基づいて、エリア通信量テーブルＴを生成する。そして、エリア情報登録部８０８は、生成したエリア通信量テーブルＴを、管理サーバ８０３に送信する。
【００３０】
本実施形態では、ユーザ情報登録部１２４は、基地局８０１から取得したエリア情報が示す各無線端末１０のエリア通信量に基づいて、各エリアＡについて、当該エリアＡにおける無線端末１０のエリア通信量の合計を求める。そして、ユーザ情報登録部１２４は、複数のエリアＡ１〜ＡＭのうち、求めた合計が予め設定された第２制限値（第３通信量の一例）を超えているエリアＡを特定する。
【００３１】
そして、ユーザ情報登録部１２４は、特定したエリアＡ２において無線通信を行った無線端末１０のうち通信使用量が第１制限値を超えている複数の無線端末１０（例えば、図９に示す無線端末１０ａ，１０ｃ）の通信量制限リセット時期を異ならせる。これにより、無線端末１０の通信量が多いエリアＡ２の通信負荷を下げる場合において、通信量が多い無線端末１０ａ，１０ｃの通信量が増加する時期を分散させることができるので、エリアＡ２内のシステムリソースが不足することを防止できる。
【００３２】
図１０は、第２の実施形態にかかる通信システムにおける各エリアにおける無線端末のエリア通信量の時間変化の一例を示す図である。図１０において、縦軸は各エリアＡにおける無線端末１０のエリア通信量の時間変化を表し、横軸は時間を表している。図１０に示すように、エリアＡ２は、エリアＡ１に比べて、当該エリアＡ２において通信を行った無線端末１０のエリア通信量が多く、通信トラフィックが集中する可能性が高い。一方、エリアＡ１は、エリアＡ２と比べて、当該エリアＡ１において通信を行った無線端末１０のエリア通信量が少なく、通信トラフィックが集中する可能性が低い。そこで、ユーザ情報登録部１２４は、エリアＡ２で通信を行った複数の無線端末１０の通信量制限リセット時期を異ならせる。これにより、図１０に示すように、エリアＡ２において無線端末１０の通信量が増加する時期を分散させることができるので、エリアＡ２内のシステムリソースの利用が集中することを防止できる。
【００３３】
また、ユーザ情報登録部１２４は、エリアＡ１〜ＡＭそれぞれに予め設定された優先度に基づいて、無線端末１０の各エリアＡのエリア通信量に重み付けを行い、重み付けを行ったエリア通信量が予め設定された第２制限値を超えているエリアＡを、エリア通信量が第２制限値を超えたエリアＡとして特定しても良い。これにより、優先度が高いエリアＡで通信を行った無線端末１０の通信量制限リセット時期を優先的に分散させることができるので（言い換えると、優先度が低いエリアＡを、当該エリアＡにおいて通信を行った無線端末１０の通信量制限リセット時期を分散させるエリアＡの候補から除外することができるので）、優先度が高いエリアＡにおいてシステムリソースの利用が集中することを防止できる。例えば、通信制御部１２１は、予め設定されたエリアＡに対する優先度が低くなるに従って、無線端末１０の各エリアＡのエリア通信量に対する重みを小さくする。
【００３４】
このように、第２の実施形態にかかる通信システムによれば、無線端末１０のエリア通信量が多いエリアＡ内のシステムリソースが不足することを防止できる。
【００３５】
以上説明したとおり、第１，２の実施形態によれば、通信システムの通信トラフィックの集中を緩和することを防止できる。
【００３６】
なお、本実施形態の管理端末１２，８０６で実行されるプログラムは、ＲＯＭ（Read  Only  Memory）等に予め組み込まれて提供される。本実施形態の管理端末１２，８０６で実行されるプログラムは、インストール可能な形式又は実行可能な形式のファイルでＣＤ−ＲＯＭ、フレキシブルディスク（ＦＤ）、ＣＤ−Ｒ、ＤＶＤ（Digital  Versatile  Disk）等のコンピュータで読み取り可能な記録媒体に記録して提供するように構成してもよい。
【００３７】
さらに、本実施形態の管理端末１２，８０６で実行されるプログラムを、インターネット等のネットワークに接続されたコンピュータ上に格納し、ネットワーク経由でダウンロードさせることにより提供するように構成しても良い。また、本実施形態の管理端末１２，８０６で実行されるプログラムをインターネット等のネットワーク経由で提供または配布するように構成しても良い。
【００３８】
本実施形態の管理端末１２，８０６で実行されるプログラムは、上述した各部（通信制御部１２１、有線通信部１２２、ユーザ情報取得部１２３、ユーザ情報登録部１２４、エリア情報取得部８０７、エリア情報登録部８０８）を含むモジュール構成となっており、実際のハードウェアとしてはＣＰＵ（Central  Processing  Unit）が上記ＲＯＭからプログラムを読み出して実行することにより上記各部が主記憶装置上にロードされ、通信制御部１２１、有線通信部１２２、ユーザ情報取得部１２３、ユーザ情報登録部１２４、エリア情報取得部８０７、エリア情報登録部８０８が主記憶装置上に生成されるようになっている。
【００３９】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００４０】
１０  無線端末
１１，８０１  基地局
１２，８０６  管理端末
１３，８０３  管理サーバ
１４  Ｗｅｂサーバ
１０１  無線通信部
１１１  通信制御部
１１２  無線通信部
１１３  有線通信部
１１４  ユーザ情報管理部
１２１  通信制御部
１２２  有線通信部
１２３  ユーザ情報取得部
１２４  ユーザ情報登録部
１３１  ユーザ情報記憶部
１３２  有線通信部
１３３  ユーザ情報管理部
８０２  エリア情報管理部
８０４  エリア情報記憶部
８０５  エリア情報管理部
８０７  エリア情報取得部
８０８  エリア情報登録部
【図１】
2016225778.tif 000003
【図２】
2016225778.tif 000004
【図３】
2016225778.tif 000005
【図４】
2016225778.tif 000006
【図５】
2016225778.tif 000007
【図６】
2016225778.tif 000008
【図７】
2016225778.tif 000009
【図８】
2016225778.tif 000010
【図９】
2016225778.tif 000011
【図１０】
2016225778.tif 000012